(57)【要約】【課題】外出時の携行性、利便性に優れ、日常的に保管容器としても機能し、定量排出を可能とし、充填可能な使い捨てではない、携行性と利便性、計量性、経済性を同時に満たす定量繰り出し携帯容器を提供すること【解決手段】上下にそれぞれ独立した空間を設け、上方を貯蔵空間、下方を定量排出用の２次貯蔵空間とし、上部貯蔵空間より、定量排出空間に一旦移送された内容物が、常に一定容量、定量排出空間より、排出させる機構を備えた定量繰り出し携帯容器を提供する。【選択図】図１
2013139291.tif 000002
【特許請求の範囲】
【請求項１】
上下にそれぞれ独立した空間を設け、上方を貯蔵空間、下方を定量排出用の２次貯蔵空間とし、上部貯蔵空間より、定量排出空間に一旦移送された内容物が、常に一定容量、定量排出空間より、排出させる機構を備えたことを特徴とする定量繰り出し携帯容器。
【請求項２】
請求項１記載の定量繰り出し携帯容器において、上部貯蔵空間と下部定量排出用貯蔵回転体からなり、下部回転体は一つ以上の溝を備え、前記２次貯蔵空間は下部定量排出用回転体に設けられた溝で形成され、回転体が縦方向に回転駆動することにより溝内の内容物を常に一定量排出可能とする機構を備えた定量排出容器。
【請求項３】
請求項１記載の定量繰り出し携帯容器において、上部貯蔵空間と下部定量排出用一次貯蔵回転体用空間及び回転体からなり、回転体の上下にはそれぞれ、孔を備えた固定弁があり、当該回転体は縦方向に仕切られた２つ以上の室を備えた回転体であり、回転体が回転駆動することにより、上部貯蔵空間から一旦下部定量排出用貯蔵回転体のセルに移送され、一時保管された内容物が、順次、下部排出口より定量排出される機構を備えた定量排出容器
【発明の詳細な説明】
【技術分野】
【０００１】  本発明は、一定量の内容物を定量供給することができる定量繰り出し携帯容器に関する。
【背景技術】
【０００２】  従来、容器は繰り出し機能を備えておらず保管するだけのものがメインであった。
【発明の概要】
【発明が解決しようとする課題】
【０００３】  従来の調味料容器などは、箱型、据え置き型のものが多く、持ち運びに適していないものが多かった。また、従来の携行タイプのものは、使いきりのパックタイプのもので一回使用用途に限定されていた。また、計量の面からも、従来型のものは、内部空間が一つであるため、開口時に、特定容量のみを排出することは不可能であった。【０００４】  そこで本発明は、外出時の携行性、利便性に優れ、日常的に保管容器としても機能し、定量排出を可能とし、充填可能な使い捨てではない、携行性と利便性、計量性、経済性を同時に満たす定量繰り出し携帯容器を提供することを目的になされたものである。
【課題を解決するための手段】
【０００５】  そのため本発明は、上下にそれぞれ独立した空間を設け、上方を貯蔵空間、下方を定量排出用の２次貯蔵空間とし、上部貯蔵空間より、定量排出空間に一旦移送された内容物が、常に一定容量、定量排出空間より、排出させる機構を備えたことを特徴とする定量繰り出し携帯容器を提供している。【０００６】  次に本発明は、上記記載の定量繰り出し携帯容器において、上部貯蔵空間と下部定量排出用貯蔵回転体からなり、下部回転体は一つ以上の溝を備え、前記２次貯蔵空間は下部定量排出用回転体に設けられた溝で形成され、回転体が縦方向に回転駆動することにより溝内の内容物を常に一定量排出可能とする機構を備えた定量排出容器を提供している。【０００７】  また本発明は、上記記載の定量繰り出し携帯容器において、上部貯蔵空間と下部定量排出用一次貯蔵回転体用空間及び回転体からなり、回転体の上下にはそれぞれ、孔を備えた固定弁があり、当該回転体は縦方向に仕切られた２つ以上の室を備えた回転体であり、回転体が回転駆動することにより、上部貯蔵空間から一旦下部定量排出用貯蔵回転体のセルに移送され、一時保管された内容物が、順次、下部排出口より定量排出される機構を備えた定量繰り出し携帯容器を提供している。
【発明の効果】
【０００８】  上記のように本発明は、駆動式により粉末を一定量繰り出して使用し、外出時に携行可能であり、調理の際にも作業の手間を煩わすことがなく、取り扱いが簡便である。また、これに限らず、計量容器として利用することができ、汎用性が高い。内容物は本体上部貯蔵空間へ挿入すればよいから、詰め替えにより何度でも使用可能である。また、複数の容器を用意しておけば、適宜選択して所望の複合として使用することができる。本発明は、繰り出し機能を備えた利便性の高い容器であり、携帯性にも優れ、定量繰り出しも可能とした。
【図面の簡単な説明】
【０００９】
【図１】  図１は、本発明の６分割仕切りバージョンの実施例を示す斜視図
【図２】  図２は、図１の正面断面図
【図３】  図３は、図１の組み立て図
【図４】  図４は、本発明の縦回転ボールバーションの実施例を示す斜視図
【図５】  図５は図４の正面断面図
【図６】  図６は、一つの回転円筒体バーションの実施例を示す斜視図
【図７】  図７は、図６の正面断面図
【図８】  図８は、図６の組み立て図
【図９】  図９は、スプーンタイプバーションの実施例を示す斜視図
【図１０】  図１０は、図９の正面断面図
【図１１】  図１１は、図９のねじひねり式ノックのオプション例
【発明を実施するための形態】
【００１０】  本発明を、図１から図３に示す６分割仕切りバーションの実施例に基づいて具体的に説明する。
【００１１】  ６分割仕切りバーションの例において、容器本体１は直径１センチ、長さ１５センチ、厚さ１ミリ程度の透明な円筒状の合成樹脂から作られ、一体成型されている。容器本体１の中は、上部貯蔵空間７と、回転体６を収納する下部空間１０にわかれ、それぞれは上部固定仕切り板２で区切られている。容器本体１のなかには、上部貯蔵空間７の下部一端と接する固定の上部固定仕切り板２が一枚、回転体６の下部排出部と接する固定の下部固定仕切り板３が１枚設けられ、それぞれ、所定の上部孔４と下部孔５を備えている。
【００１２】  容器本体１の下部空間１０に収納する回転体６も同様に透明の樹脂からつくられ、縦に仕切りが施されており、図１から図３では、一例として６つのセル空間８を擁している。回転体６の中心には軸９が備えつけられており、この軸９が回転駆動することで、回転体６は弧を描き、筒の円周状に回転する仕組みとなっている。
【００１３】  実施方法としては、まず上部貯蔵空間７に内容物を充填させる。次にノック１１を閉め、ノック１１を時計回りに回転させる。これにより軸９が回転し、上部貯蔵空間７より上部孔４を通して落下した内容物は順次、下部空間１０内の回転体６で区切られたセル空間８の中に充填されていく。この回転体６の回転運動により、容器本体１の上部固定仕切り板２に予め備えられた上部孔４を通して上部貯蔵空間７より順次充填された内容物は、この駆動動作を繰り返すことにより、回転体６に備えられた縦の仕切り板からなる各セル空間８内に分断貯蔵された状態で時計回りに移送されていく。
【００１４】  軸９の回転作用により回転した回転体６によって時計回りに移送された内容物は、容器本体１の下部固定仕切り板３に予め供えられた下部孔５の位置に達した時点で、順次排出されることとなる。弁１３はノック１１をノックすることにより軸９が下に押し出され開口する仕組みとなっている。このように、内容物が充填された回転体６のセル空間８より、回転運動を繰り返すことで、内容物は順次定量排出されることになる。
【００１５】  上部貯蔵空間７の下に設けられた上部固定仕切り板２に備えられた上部孔４の位置と、下部回転体６の下に備えられた下部固定仕切り板３に備えられた下部孔５の位置の配置が異なるため、回転運動により順次回転体６内のセル空間８には内容物が一時的に充填され、一通り、充填されると、先に充填されたものから、順に、各セル空間８内の定量部分のみ順次下部孔５からなる排出口から排出されていく構造となっている。
【００１６】  本例は、下部空間１０は、縦の仕切り板で容量が同じ６つのセル空間８を形成しているが、セル空間８は６つに限ることはなく、また容量もセル空間８毎に変えてもよい。
【００１７】  次に本発明を、図４から図５に示す縦回転ボールバーションの実施例に基づいて具体的に説明する。
【００１８】  縦回転ボールバーションの例において、容器本体１は直径１センチ、長さ１５センチ、厚さ１ミリ程度の透明な円筒状の合成樹脂から作られ、一体成型されている。筒の中は、上部貯蔵空間１４と、回転体１６−Ｂで構成され、それぞれは上部固定仕切り板１５で区切られている。上部固定仕切り板１５には、所定の孔１６−Ａを備えている。
【００１９】回転体はノック１７により下に押し出された軸１８との接触により回転する芯１９の回転作用により縦方向に回転する。上部貯蔵空間に充填された内容物は、一度、回転体内の溝２０に充填され、次に、ノック作用により押し出された軸の作用によって回転した回転体が縦方向に回転することにより、回転体内の溝に充填された状態で移送された内容物は、排出口より排出されることになる。
【００２０】当該回転運動を繰り返すことにより回転体には、内容物が一時的に充填され、一旦充填された内容物が、次の回転により、定量排出される構造となっている。
【００２１】  次に本発明を、図６から図８に示す一つの回転円筒体バーションの実施例に基づいて具体的に説明する。
以下に、この考案の繰り出し式容器の好適実施例について図面を参照して説明する。一例として、容器本体１は直径１センチ、長さ１５センチ、厚さ１ミリ程度の透明な円筒状の合成樹脂から作られ、一体成型されている。
【００２２】筒の中は、上部貯蔵空間２１と、回転体を収納する下部空間２２にわかれ、それぞれは上部固定仕切り板２３で区切られている。容器本体１の筒のなかには、上部貯蔵空間２１の下部一端と接する固定の上部固定仕切り板２３が一枚、回転体の下部排出部と接する固定の下部仕切り板２４が１枚設けられ、それぞれ、所定の孔２５、２６を備えている。
【００２３】本体筒の下部空間２２に収納する回転筒も同様に透明の樹脂からつくられ、その上下には所定の孔２７、２８を備えている。回転体には軸２９が備えつけられており、ノック３０をねじまわし、この軸を筒の円周状に回転駆動させることで、回転体は弧を描き、筒の円周状に回転する。
【００２４】この回転体の回転運動により、筒本体の固定仕切り板に予め備えられた上部の孔２５と回転体に備えられた上部の孔２７が重なり、開口部を形成する時に、上部貯蔵空間２１に充填された内容物が、下部空間内に収納された回転体に、一次充填される。
【００２５】次に、再度、駆動動作を行うと、一旦回転体内に一次充填された内容物は、本体の下部仕切り板２４に予め供えられた下部の孔２６と回転体下部の孔２８が当該駆動により開口部を形成することにより、前工程により充填された内容物が排出口より排出されることになる。
【００２６】この時に、上部固定仕切り板の上部孔と回転体の上部孔は開口部を形成しない為、一旦回転体内の内容物が定量排出されるまでは、上部貯蔵空間から内容物が追加投入されることはなく、排出口より排出される内容物は、常に、回転体内に一次充填された一定容量にとどめることが可能となる。
【００２７】  次に本発明を、図９から図１１に示すスプーンタイプバーションの実施例に基づいて具体的に説明する。
以下に、この考案の繰り出し式容器の好適実施例について図面を参照して説明する。一例として、容器本体１は直径１センチ、長さ１５センチ、厚さ１ミリ程度の透明な円筒状の合成樹脂から作られ、一体成型されている。
【００２８】筒の中は、上部貯蔵空間３１と、受け皿３２からなり、それぞれは固定仕切り板３３及び回転仕切り板３４で区切られている。と固定仕切り板３３と回転仕切り板３４にはそれぞれ所定の孔３５、３６が設けられている。
【００２９】回転仕切り板には軸３７が備えつけられており、ノック３８をねじまわし、この軸を筒の円周状に回転駆動させることで、回転仕切り板は、筒の円周状に回転する。この回転仕切り板の回転運動により、筒本体の固定仕切り板に予め備えられた孔３６と回転仕切り板に備えられた孔３５が重なり、開口部を形成する時に、上部貯蔵空間３１に充填された内容物が、下部受け皿３２に移送された後、スプリング機能により回転仕切り板が元に戻ることで、開口部は閉鎖される。
【００３０】次にノック３８を上下にノックすると前工程により受け皿に移送された内容物のみが定量排出可能となる。尚、図１１は回転機能をノック部に配置した例である。
【００３１】本発明により、当該発明品を用いて、外出先でお湯をそそぐことで、乳幼児用のミルクを手軽に作ることが可能となる。また、外出先等でのインスタントコーヒーの携行容器としての使用や、調味料の計量容器として使用する場合は、予め調味料を充填しておくことで調理時の計量の手間や煩雑さを大幅に軽減することができる。
【００３２】この考案は、不使用時には内容物をホルダー内に収納することができる保管容器でありながら、定量繰り出しをも可能とし、なおかつ、使用が容易で、携行可能である点、また使いきりではなく充填可能なホルダータイプの為、内容物を充填することにより何度でも繰り返し使用できる点が特徴である。
【００３３】このノック部の構造や繰り出し構造は、前記実施例に限定されるものではなく、要するに内容物を一定のストロークで定量繰り出して使用に供し、また不使用時にはホルダー内で保管できるようになっていればよい。そして、使用時には、駆動により、開口部を形成し、順次充填可能とし、常に一定容量の繰り出しが可能となっていればよい。
したがって、使用用途もこれに限らず、要するにこの考案の要旨を変更しない範囲で種々設計変更しうること勿論である。
【符号の説明】
【００３４】  １  容器本体
２、１５、２３  上部固定仕切り板
３  下部固定仕切り板
４  上部孔
５  下部孔
６、１６−Ｂ  回転体
７、１４、２１、３１  上部貯蔵空間
８  セル空間
９、１８、２９、３７  軸
１０、２２  下部空間
１１、１７、３０、３８  ノック
１２  フタ
１３  弁
１６−Ａ、２５、２６、２７、２８、３５、３６  孔
１９  芯
２０  溝
２４  下部仕切り板
３２  受け皿
３３  固定仕切り板
３４  回転仕切り板
【図１】
2013139291.tif 000003
【図２】
2013139291.tif 000004
【図３】
2013139291.tif 000005
【図４】
2013139291.tif 000006
【図５】
2013139291.tif 000007
【図６】
2013139291.tif 000008
【図７】
2013139291.tif 000009
【図８】
2013139291.tif 000010
【図９】
2013139291.tif 000011
【図１０】
2013139291.tif 000012
【図１１】
2013139291.tif 000013